(57)【要約】【課題】胴部の周りを周回する括れ部によって区画された上側胴部にグリップ部を設けるにあたり、このグリップ部の剛性を高める。【解決手段】本発明のボトル１は、底部を備える下側胴部２に括れ部３を介して繋がるドーム状の上側胴部４と、上側胴部４の上端を周回する肩部５と、肩部５に繋がる筒状部６とを有し、上側胴部４の後側に、その周方向に沿って対向する２つの凹部4aを設け、その相互間に形成された部位をグリップ部Ｇとし、このグリップ部Ｇの背面に、複数の横溝Ｄを設け、更に、グリップ部Ｇの背面形状を、軸線Ｏに沿って湾曲し、ボトル１の内部に向かって凹んだ凹面Ｃで構成する。【選択図】図６
2008296926.tif 000002
【特許請求の範囲】
【請求項１】
底部を備える胴部を有し、この胴部が括れ部によって上側胴部と下側胴部とに区画される合成樹脂製ボトルであって、
上側胴部の後側に、その周方向に沿って対向する２つの凹部を設け、その相互間に形成された部位をグリップ部とし、
このグリップ部の背面に、少なくとも１つの横溝又は横リブを設けたことを特徴とする合成樹脂製ボトル。
【請求項２】
グリップ部の背面形状を、ボトルの軸線に沿って湾曲し、当該ボトルの内部に向かって凹んだ凹面で構成した請求項１に記載の合成樹脂製ボトル。
【請求項３】
上側胴部が、括れ部の上端に沿って周回してドーム状に縮径してなる請求項１又は２に記載の合成樹脂製ボトル。
【発明の詳細な説明】
【技術分野】
【０００１】
本発明は、底部を備える胴部を有し、この胴部が括れ部によって上側胴部と下側胴部とに区画される合成樹脂製ボトルにあって、その上側胴部にグリップ部を設けるにあたり、高い剛性を確保するための技術に関するものである。
【背景技術】
【０００２】
従来の合成樹脂製ボトルには、底部を備え円形断面で構成される胴部を有し、この胴部が括れ部によって上側胴部と下側胴部とに区画されるものがあり、その変形例として、例えば、その上側胴部に複数の括れ部を形成したものがある（例えば、特許文献１参照。）。
【特許文献１】国際公開ＷＯ２００２／０８１３１３号パンフレット
【発明の開示】
【発明が解決しようとする課題】
【０００３】
また、上記従来ボトルは、下側胴部の後側に、その周方向に沿って対向する２つの凹部を設け、その相互間に形成された部位をグリップ部とすることで、その持ち運びや内容物の注出が可能となっている。即ち、上記従来ボトルは、把手等を別途設けることなく、その運搬性や操作性を良好なものとしている。
【０００４】
これに対し、上記グリップ部を上側胴部に設けることも可能であるが、グリップ部の剛性を確実に高めておかないと、例えば、ボトルの内容量が大きい場合やボトルの薄肉化を図った場合、使用者が把持したときに変形を伴い、運搬性や操作性が損なわれるとも考慮される。
【０００５】
本発明の目的とするところは、括れ部によって区画された上側胴部にグリップ部を設けるにあたり、このグリップ部の剛性を高めることにある。
【課題を解決するための手段】
【０００６】
本発明は、底部を備える胴部を有し、この胴部が括れ部によって上側胴部と下側胴部とに区画される合成樹脂製ボトルであって、上側胴部の後側に、その周方向に沿って対向する２つの凹部を設け、その相互間に形成された部位をグリップ部とし、このグリップ部の背面に、少なくとも１つの横溝又は横リブを設けたことを特徴とするものである。
【０００７】
本発明において、グリップ部の背面に、少なくとも１つの横溝又は横リブを設ける場合、その配置は、ボトルの軸線に沿って間隔を空けて配置することは勿論、周方向に沿って間隔を空けて配置すること、これらを組み合わせて配置すること、又は、ランダムに配置することを含む。
【０００８】
また、一般的に、「溝」又は「リブ」と言った場合、肉厚な形状若しくは切り欠いた形状として構成されるものが連想されるが、合成樹脂製ボトルは、基本的にブロー成形されるものであるから、本発明において、「溝」又は「リブ」と言う場合には、ほぼ均等な肉厚な形状として構成されるものを含むことは勿論である。
【０００９】
加えて、本発明によれば、グリップ部の背面形状を、ボトルの軸線に沿って湾曲し、当該ボトルの内部に向かって凹んだ凹面で構成することが好ましい。なお、本発明によれば、凹面を構成するにあたり、その曲率半径は、一定としても、利用者層等を考慮した好適な曲面となるよう可変としてもよい。
【００１０】
更に、本発明に係る上側胴部には、括れ部の上端に沿って周回して一定の勾配で縮径してなるものや、括れ部の上端に沿って周回してドーム状に縮径してなるもの等が挙げられるが、括れ部の上端に沿って周回してドーム状で縮径してなるものが好ましい。
【発明の効果】
【００１１】
本発明によれば、グリップ部の背面に少なくとも１つの横溝又は横リブを設けたことで、グリップ部の剛性が高まる。このため、使用者がグリップ部をしっかり把持しても、グリップ部に変形が生じることはない。
【００１２】
従って、グリップ部の背面に横溝を設ければ、ボトルの運搬性や操作性を更に改善することができる。このため、ボトルの内容量を大きくしたり、ボトルの薄肉化を図っても、ボトルの運搬性や操作性を損なうことなく、使い勝手がよい。
【００１３】
また、本発明によれば、グリップ部の背面形状が、ボトルの軸線に沿って湾曲し、ボトルの内部に向かって凹んだ凹面を構成することにより、グリップ部の剛性を更に高めることができる。加えて、グリップ部の背面形状を凹面で構成した場合、グリップ部を把持したとき、使用者の掌が当該凹面にフィットする。
【００１４】
従って、グリップ部の背面形状を凹面に構成すれば、ボトルの運搬性や操作性を更に改善することができる。
【発明を実施するための最良の形態】
【００１５】
以下、図面を参照して、本発明の好適な形態を詳細に説明する。
【００１６】
図１，２はそれぞれ、本発明の第一の形態であるＰＥＴボトル（以下、「ボトル」という。）１を示す正面図及び背面図である。また、図３は、ボトル１を示す右側面図である。更に、図４，５はそれぞれ、ボトル１を示す平面図及び底面図である。また、図６は、ボトル１を背面から示す斜視図である。
【００１７】
ボトル１は、ＰＥＴ樹脂からなる図示せぬプリフォームを用いて、二軸延伸ブロー成形された一体成形品であり、符号２は、底部を一体に備える下側胴部である。この下側胴部２は、図４，５に示すように、その断面が短辺2aと長辺2bとを有するほぼ矩形に近い八角形の角柱形状である。
【００１８】
符号３は、図６等に示すように、下側胴部２の上端に沿って周回してこの下側胴部２に繋がる括れ部である。
【００１９】
符号４は、図１等に示すように、括れ部３の上端に沿って周回して当該括れ部３に繋がる上側胴部である。上側胴部４は、ほぼドーム状に縮径してなる。上側胴部４は、図１等を示すように、その最外径が下側胴部２の外径よりも短く構成されている。
【００２０】
上側胴部４の後側には、図２，３等に示すように、その周方向に沿って対向する２つの凹部4aが設けられている。このように、上側胴部４の後側にずらした位置に凹部4aを設けることで、凹部4aの前側には、段差面f1が形成される。
【００２１】
段差面f1にはそれぞれ、１つの縦リブ4rが設けられている。本形態に係る縦リブ4rは、各段差面f1に対してそれぞれ１つ以上であればよい。
【００２２】
また、本形態に係る凹部4aはそれぞれ、上側胴部４から括れ部３に至るが、少なくとも、上側胴部４の領域に設けられていればよい。
【００２３】
一方、上側胴部４の前側には、図１等に示すように、周方向に延在して２つの凹部4aを繋ぐと共に、ボトル１の内部に向かって凹んでなる凹面部f2が形成されている。
【００２４】
また、凹面部f2には、複数のディンプル（窪み部）4dが設けられている。本形態に係るディンプル4dは、周方向に沿って等間隔に配置され、それが軸線Ｏに沿った方向に等間隔に三段に設けられている。そして、各段のディンプル4dはそれぞれ、他の段のディンプル4dと重なり合わないように互い違いに配置されている。
【００２５】
また、本形態に係るディンプル4dの形状は、周方向に延在するほぼ楕円形状をしてなり、その両端が縦ラインL2により直線的に区切られている。
【００２６】
加えて、本形態に係るディンプル4dは、上段に配置したディンプル4dの横幅寸法が、下段に配置したディンプル4dの横幅寸法に比べて短くなっており、中段に配置したディンプル4dに至っては、その横幅寸法が最も短くなっている。
【００２７】
なお、図面上では、各段毎に１つずつ、符号4dを例示的に記載し、それ以外は省略している。
【００２８】
符号５は、上側胴部４の上端に沿って周回して当該上側胴部４に繋がる肩部である。この肩部５は、その勾配が減少するように縮径してなる。
【００２９】
符号６は、肩部５に繋がり注出口Ａ（図６参照。）を有する筒状部である。
【００３０】
ボトル１では、凹部4aの相互間に形成された部位は、使用者が把持して持ち運びや内容物の注出を行うためのグリップ部Ｇとして機能する。
【００３１】
グリップ部Ｇの背面には、図２等に示すように、複数の横溝Ｄが軸線Ｏに沿った方向に等間隔に形成されている。本形態に係る横溝Ｄは、上側胴部４から括れ部３に至るが、少なくとも、上側胴部４の領域に設けられていればよい。
【００３２】
また、本形態に係る横溝Ｄの形状は、図２に示すように、周方向に延在するほぼ楕円形状をしてなり、その両端が縦ラインL1により直線的に区切られている。
【００３３】
加えて、本形態に係る横溝Ｄは、下側に配置した横溝Ｄの横幅寸法が、上側に比べて長くなっており、最も下側に配置した横溝Ｄに至っては、その横幅寸法が最も長くなっている。
【００３４】
グリップ部Ｇの背面に横溝Ｄを設けた場合、グリップ部Ｇ全体の剛性が高まることで、使用者がグリップ部Ｇをしっかり把持しても、グリップ部Ｇに変形が生じることはない。
【００３５】
従って、グリップ部Ｇの背面に横溝Ｄを設ければ、ボトル１の運搬性や操作性を更に改善することができる。このため、ボトル１の内容量を大きくしたり、ボトル１の薄肉化を図っても、ボトル１の運搬性や操作性を損なうことなく、使い勝手がよい。
【００３６】
なお、図面上では、符号Ｄを例示的に１つ記載し、それ以外は省略している。また、横溝Ｄは、横リブに置き換えることができる。なお、一般的に、「溝」又は「リブ」と言った場合、肉厚な形状若しくは切り欠いた形状として構成されるものが連想されるが、ＰＥＴボトルは、基本的にブロー成形されるものであるから、本発明に従って、「溝」又は「リブ」と言う場合には、ほぼ均等な肉厚な形状として構成される隆起部又は窪み部を含むことは勿論である。
【００３７】
更に、グリップ部Ｇの背面形状は、図３等に示すように、軸線Ｏに沿って湾曲し、ボトル１の内部に向かって凹んだ凹面Ｃを構成してなる。
【００３８】
このように、グリップ部Ｇの背面形状を凹面Ｃで構成しても、グリップ部Ｇ全体の剛性を更に高めることができる。加えて、グリップ部Ｇの背面形状を凹面Ｃで構成した場合、グリップ部Ｇを把持したとき、使用者の掌が当該凹面Ｃにフィットする。
【００３９】
従って、グリップ部Ｇの背面形状を凹面Ｃに構成することでも、ボトル１の運搬性や操作性を更に改善することができる。
【００４０】
なお、本形態に係る凹面Ｃは、上側胴部４から括れ部３に至るが、少なくとも、上側胴部４の領域に設けられていればよい。また、本形態に係る凹面Ｃは、その曲率半径を一定としているが、利用者層等を考慮した好適な曲面となるよう可変とすることもできる。
【００４１】
また、グリップ部Ｇは、上側胴部４（本形態では、括れ部３も含む。）に対する梁の役割を果たす。また、凹部4aの段差面f1に設けた縦リブ4rも、グリップ部Ｇに対する梁の役割、即ち、上側胴部４に対する梁の役割を果たす。
【００４２】
即ち、ボトル１によれば、ボトルの軸線Ｏ方向に沿って大きな圧縮応力が作用した場合、座屈しやすい上側胴部４全体の強度を向上させることができる。
【００４３】
更に、ボトル１によれば、下側胴部２を角柱形状としたことで、その短辺2aと長辺2bとを繋ぐ角部2cがそれぞれ、下側胴部２に対する梁の役割を果たす。即ち、ボトル１によれば、下側胴部２の強度も確保される。
【００４４】
従って、ボトル１は、把手等を別途設けることなく、その運搬性や操作性が良好でありつつも、座屈に対する強度が高いＰＥＴボトルでもある。
【００４５】
なお、ボトル１では、段差面f1に縦リブ4rを設けたが、本発明に従えば、この縦リブ4rは、縦溝に置き換えてもよい。
【００４６】
また、ボトル１では、上側胴部４の前側に、２つの凹部4aを繋ぐ凹面部f2を形成し、この凹面部f2に、複数のディンプル4dを設けたことで、かかる凹面部f2及びディンプル4dが圧縮応力を分散させる役割を果たすため、座屈に対する強度を更に高めることができる。
【００４７】
なお、ボトル１では、その凹面部f2に、複数のディンプル4dを設けたが、本発明に従えば、このディンプル4dは、少なくとも１つでよい。また、本発明に従えば、ディンプル4dの形状及び配置も、様々に変更することができる。
【００４８】
更に、本発明に従えば、ディンプル4dは、ボトル１に対して外向きに膨出する隆起部に置き換えることもできる。また、ＰＥＴボトルは、上述したように、基本的にブロー成形されるものであるから、「窪み部」又は「隆起部」と言った場合、ほぼ均等な肉厚な形状として構成されるものが連想されるが、本発明に従って「窪み部」又は「隆起部」と言う場合には、肉厚な形状若しくは切り欠いた形状に構成させる溝又はリブを含むことは勿論である。
【００４９】
上述したところは、本発明の好適な形態をしたものであるが、特許請求の範囲において、種々の変更を加えることができる。
【産業上の利用可能性】
【００５０】
本発明は、薬品、飲料等の液状の内容物を充填するボトルとして利用することができる。
【図面の簡単な説明】
【００５１】
【図１】本発明の第一の形態であるＰＥＴボトルを示す正面図である。
【図２】同形態の背面図である。
【図３】同形態の右側面図である。
【図４】同形態の平面図である。
【図５】同形態の底面面図である。
【図６】同形態を背面から示す斜視図である。
【符号の説明】
【００５２】
１  ＰＥＴボトル
２  下側胴部
2a  短辺（前面、背面）
2b  長辺（側面）
2c  隅辺（角部）
３  括れ部
４  上側胴部
4a  凹部
4d  ディンプル（窪み部）
4r  縦リブ
５  肩部
６  筒状部
Ｄ  横溝
f1  凹部前側に形成された段差面
f2  上側胴部の凹面部
Ｇ  グリップ部
【図１】
2008296926.tif 000003
【図２】
2008296926.tif 000004
【図３】
2008296926.tif 000005
【図４】
2008296926.tif 000006
【図５】
2008296926.tif 000007
【図６】
2008296926.tif 000008